(57)【要約】【課題】操作情報をクライアントから受信するサーバと、送信した操作情報に基づいた映像・音声等のデータをサーバから受信するクライアントとからなる情報処理システムにおいて、クライアントが省電力モードに入るとき、または、省電力モードから通常モードに復帰するとき、クライアントに過度の負荷のかけず、且つ、映像・音声等のデータの処理破綻を起こさない情報処理システムを提供する。【解決手段】クライアントは、サーバが転送レートを下げたことを確認した後に省電力モードに入る。サーバ１０は、クライアント２０が通常モードに復帰したことを確認した後に、転送レートをあげる【選択図】図２
2009237933.tif 000002
【特許請求の範囲】
【請求項１】
データを送出するサーバと、前記データを前記サーバから受信する端末とを有し、前記端末は、前記サーバにデータの転送レートの低減を要求した後、前記端末の消費電力モードを変更する情報処理システム。
【請求項２】
データを送出するサーバと、前記データを前記サーバから受信する端末とを有し、
前記端末は、前記データの転送レートが前記端末からの要求により下げられたことを確認した後、前記端末の消費電力を第１のモードより小さい第２のモードに移行する情報処理システム。
【請求項３】
データを送出するサーバと、前記データを前記サーバから受信する端末とを有し、
前記サーバは、前記端末から、前記端末が第１のモードより消費電力の小さい第２のモードから、前記第１のモードに移行したことを通知された後に、前記データの転送レートを上げる情報処理システム。
【請求項４】
データを送出するサーバに接続されるとともに、前記データを受信する端末であって、前記サーバにデータの転送レートを下げる要求をした後、前記端末の消費電力モードを変更する情報端末。
【請求項５】
データを送出するサーバに接続されるとともに、前記データを受信する端末であって、前記データの転送レートが自身の要求により下がったことを確認した後、前記端末の消費電力を第１のモードより小さい第２のモードに移行する情報端末。
【請求項６】
データを送出するサーバであって、
前記サーバに接続される端末から、前記端末が、前記端末の消費電力を第１のモードより小さい第２のモードから、前記第１のモードに移行したことを通知された後に、前記データの転送レートを上げるサーバ。
【請求項７】
データを送出するサーバと、前記データを受信する端末とを有し、
前記端末は、
第１のモードより消費電力の小さい第２のモードに前記端末が移行するための所定の条件を検出する検出手段と、
前記検出手段による検出結果に基づいて、前記データの転送レートを下げるよう前記サーバに要求する要求手段と、
前記要求手段からの要求により前記転送レートが下げられたことを確認した後、前記端末を第１のモードより消費電力の小さい第２のモードに移行する移行手段とを有することを特徴とする情報処理システム。
【請求項８】
データを送出するサーバと、前記データを受信する端末とを有し、
前記端末は、第１のモードより消費電力の小さい第２のモードから、前記第１のモードに前記端末が移行したことを通知する通知手段を有し、
前記サーバは、前記通知手段による通知後に、前記データの転送レートを上げるレート制御手段を有していることを特徴とする情報処理システム。
【発明の詳細な説明】
【技術分野】
【０００１】
本発明は、操作情報をクライアントから受信するサーバと、送信した操作情報に基づいた映像・音声等をサーバから受信するクライアントとからなる情報処理システムに関し、特に、クライアントが省電力モードに入る、また、通常モードに復帰する技術に関する。
【背景技術】
【０００２】
従来より、例えばシンクライアントシステムなど、操作情報をクライアント（情報端末）から受信するサーバと、送信した操作情報に基づいて映像・音声をサーバから受信するクライアントとからなる情報処理システムがある。
【０００３】
ところで、クライアントには、ＣＰＵの周波数を落としたりするなど、省電力モードを有しているものがある。
【０００４】
このような省電力モードを有しているクライアントにおいて、サーバからクライアントに映像・音声が送信されている場合に、単純にクライアント側が省電力モードに入る、すなわち、処理能力を落としてしまうと、クライアントは、サーバから受信した映像・音声の処理（デコード等）に追いつけないという問題が生じる。
【０００５】
そこで、特許文献１には、省電力モード時に受信した動画のフレームレートを端末側で下げる携帯情報端末が開示されている。
【０００６】
【特許文献１】特開２００６−２８７８９８号公報
【発明の開示】
【発明が解決しようとする課題】
【０００７】
しかしながら、特許文献１記載の技術では、フレームレートを下げる制御を携帯情報端末（クライアントに相当）で行わなければならず、クライアントの処理能力や機能拡張性が低いと、実施できないという問題がある。
【０００８】
そこで、本発明は、操作情報をクライアントから受信するサーバと、送信した操作情報に基づいた映像・音声等のデータをサーバから受信するクライアントとからなる情報処理システムにおいて、クライアントが省電力モードに入るとき、または、省電力モードから通常モードに復帰するとき、クライアントに過度の負荷のかけず、且つ、映像・音声等のデータの処理破綻を起こさない情報処理システムを提供することを目的とする。
【課題を解決するための手段】
【０００９】
本発明の第１の情報処理システムは、データを送出するサーバと、前記データを前記サーバから受信する端末とを有し、前記端末は、前記サーバにデータの転送レートの低減を要求した後、前記端末の消費電力モードを変更する。
【００１０】
本発明の第２の情報処理システムは、データを送出するサーバと、前記データを前記サーバから受信する端末とを有し、前記端末は、前記データの転送レートが前記端末からの要求により下げられたことを確認した後、前記端末の消費電力を第１のモードより小さい第２のモードに移行する。
【００１１】
本発明の第３の情報処理システムは、データを送出するサーバと、前記データを前記サーバから受信する端末とを有し、前記サーバは、前記端末から、前記端末が第１のモードより消費電力の小さい第２のモードから、前記第１のモードに移行したことを通知された後に、前記データの転送レートを上げる。
【００１２】
本発明の第１の情報端末は、データを送出するサーバに接続されるとともに、前記データを受信する端末であって、前記サーバにデータの転送レートを下げる要求をした後、前記端末の消費電力モードを変更する。
【００１３】
本発明の第２の情報端末は、データを送出するサーバに接続されるとともに、前記データを受信する端末であって、前記データの転送レートが自身の要求により下がったことを確認した後、前記端末の消費電力を第１のモードより小さい第２のモードに移行する。
【００１４】
本発明のサーバは、データを送出するサーバであって、前記サーバに接続される端末から、前記端末が、前記端末の消費電力を第１のモードより小さい第２のモードから、前記第１のモードに移行したことを通知された後に、前記データの転送レートを上げる。
【００１５】
本発明の第４の情報処理システムは、データを送出するサーバと、前記データを受信する端末とを有し、前記端末は、第１のモードより消費電力の小さい第２のモードに前記端末が移行するための所定の条件を検出する検出手段と、前記検出手段による検出結果に基づいて、前記データの転送レートを下げるよう前記サーバに要求する要求手段と、前記要求手段からの要求により前記転送レートが下げられたことを確認した後、前記端末を第１のモードより消費電力の小さい第２のモードに移行する移行手段とを有することを特徴とする。
【００１６】
本発明の第５の情報処理システムは、データを送出するサーバと、前記データを受信する端末とを有し、前記端末は、第１のモードより消費電力の小さい第２のモードから、前記第１のモードに前記端末が移行したことを通知する通知手段を有し、前記サーバは、前記通知手段による通知後に、前記データの転送レートを上げるレート制御手段を有していることを特徴とする。
【発明の効果】
【００１７】
本発明によれば、操作情報をクライアントから受信するサーバと、送信した操作情報に基づいた映像・音声等のデータをサーバから受信するクライアントとからなる情報処理システムにおいて、クライアントが省電力モードに入るとき、または、省電力モードから通常モードに復帰するとき、クライアントに過度の負荷のかけず、且つ、映像・音声等のデータの処理破綻を起こさない情報処理システムを提供することができる。
【発明を実施するための最良の形態】
【００１８】
以下、図面を参照して本発明を実施するための最良の形態について説明する。まず、本実施の形態の概略を簡単に説明すると、本発明の実施の形態の情報処理システムは、操作情報をクライアントから受信するサーバと、送信した操作情報に基づいた映像・音声をサーバから受信するクライアントとからなる情報処理システムである。そして、クライアントがその処理能力を落とした省電力モードに入る前に、サーバにその旨を通知し、その通知を受信したサーバが、映像・音声の転送レートを下げた後、クライアントが省電力モードに入る。以下、詳細に説明する。
【００１９】
図１は、本実施の形態の情報処理システムの主要部を説明するためのブロック図である。図１を参照すると、情報処理システムは、サーバ１０と、サーバ１０とネットワークで接続されたクライアント２０とを有する。サーバ１０は、操作情報、例えばキーボード操作やマウス操作、をクライアント２０から受信し、この操作情報に基づいた映像・音声をクライアント２０に送信する。このようなシステムによれば、クライアント２０のユーザは、あたかも、サーバ１０を直接操作しているように、作業等をすることができる。なお、このようなシステムは一般にシンクライアントシステムと呼ばれている。
【００２０】
次に、サーバ１０は、接続制御手段１１、及び、クライアント２０に送信する映像・音声のエンコード等を行う映像・音声処理手段１２を図示しない記憶部から読み込んだプログラムを制御部（ＣＰＵ）が実行することにより論理的に備える。なお、上記エンコードは、ハードウェアにより行ってもよい。
【００２１】
また、クライアント２０は、モード制御手段２１、接続制御手段２２、及び、サーバ１０から受信した映像・音声をデコード等する映像・音声処理手段２３を図示しない記憶部から読み込んだプログラムを制御部（ＣＰＵ）が実行することにより論理的に備える。なお、モード制御手段２１により省電力モードになると、クライアント２０の制御部は、動作クロックを下げるなど、省電力となり、当然に処理能力も低下する。
【００２２】
次に本実施の形態の情報処理システムの動作について説明する。
【００２３】
まず、クライアント２０が、通常の動作モードから省電力モードに移行する処理について説明する。図２は、クライアント２０の制御部が通常の動作モードから省電力モードに入る処理を説明するためのフローチャートである。
【００２４】
図２を参照すると、クライアント２０のユーザが一定時間以上何も操作していない等、所定の条件をモード制御手段２１が検出すると（ステップＳ１）、モード制御手段２１は、省電力モードに入る条件を検出したことを、接続制御手段２２に通知する。
【００２５】
この通知を受けた接続制御手段２２は、サーバ１０の接続制御手段１１に、転送レートを低減するよう要求する（ステップＳ２）。
【００２６】
次に、サーバ１０の接続制御手段１１は、転送レートの低減をクライアント１０から受けたことを、映像・音声処理手段１２に通知し、映像・音声処理手段１２は、クライアント１０に送るデータの転送レートを低減する（ステップＳ３）。ここで、転送レートの低減は、例えば、映像や音声のビットレートを下げたりすることにより映像や音声の品質を下げる。
【００２７】
サーバ１０の映像・音声処理手段１２が、転送レートの低減をすると、接続制御手段１１は、転送レートを低減したことを、クライアント２０の接続制御手段２２に通知する（ステップＳ４）。
【００２８】
次いで、転送レートが低減されたことを通知された接続制御手段２２は、モード制御手段２１にその旨を通知し、モード制御手段２１は、制御部の動作クロックを下げるなどして、クライアント１０を省電力モードに以降させる（ステップＳ５）。
【００２９】
なお、ステップＳ４での通知を待たずにクライアント２０が省電力モードになってしまうと、映像・音声手段２３が処理できない可能性があるが、本実施の形態では、このような不具合を防いでいる。
【００３０】
このように、本実施の形態によれば、クライアント２０は、サーバ１０が転送レートを下げたことを確認した後に省電力モードに入るため、サーバ１０から送信された映像・音声をクライアント２０にて処理（デコード）できないという問題を低減させることができる。
【００３１】
次に、クライアント２０が、省電力モードから通常の動作モードに復帰する処理について説明する。図３は、クライアント２０の制御部が、省電力モードから通常の動作モードに復帰する処理を説明するためのフローチャートである。
【００３２】
図３を参照すると、クライアント２０のユーザがマウスを動かした等、所定の条件をモード制御手段２１が検出すると（ステップＴ１）、モード制御手段２１は、制御部を通常モードに復帰させる（ステップＴ２）。通常モードに復帰させたモード制御手段２１は、これを接続制御手段２２に通知し、この通知を受けた接続制御手段２２は、サーバ１０の接続制御手段１１に、転送レートを元に戻す（転送レートをあげる）よう要求する（ステップＴ３）。
【００３３】
次に、サーバ１０の接続制御手段１１は、転送レートをあげることをクライアント１０から受けたことを、映像・音声処理手段１２に通知し、映像・音声処理手段１２は、クライアント１０に送るデータの転送レートをあげる（ステップＴ４）。
【００３４】
なお、ステップＴ２での通知を待たずにサーバ１０が転送レートをあげてしまうと、映像・音声手段２３が処理できない可能性があるが、本実施の形態では、このような不具合を防いでいる。
【００３５】
このように、本実施の形態によれば、サーバ１０は、クライアント２０が通常モードに復帰したことを確認した後に、転送レートをあげるため、サーバ１０から送信された映像・音声をクライアント２０にて処理（デコード）できないという問題を低減させることができる。
【００３６】
以上説明したように、本実施の形態の情報処理システムでは、クライアント２０が省電力モードに入る場合には、その旨をサーバ１０に通知するという軽い処理を、また、クライアント２０が通常モードに復帰する場合には、クライアント２０が通常モードに復帰したことをサーバ１０に通知するという軽い処理を行うだけで、サーバ１０から送信される映像・音声をクライアント２０で処理できない可能性を低減させることができる。
【００３７】
なお、以上説明した実施の形態では、サーバ１０は、映像や音声を送信していたが、どちらか一方でもよく、また、本発明は、テキストデータなどの送信にも応用できる。テキストデータの送信に応用する場合には、一度に送出する文字情報の容量を下げればよい。
【図面の簡単な説明】
【００３８】
【図１】情報処理システムの主要部を説明するためのブロック図である。
【図２】通常の動作モードから省電力モードに入る処理を説明するためのフローチャートである。
【図３】省電力モードから通常の動作モードに復帰する処理を説明するためのフローチャートである。
【符号の説明】
【００３９】
１０  サーバ
１１  接続制御手段
１２  映像・音声処理手段
２０  クライアント
２１  モード制御手段
２２  接続制御手段
２３  映像・音声処理手段
【図１】
2009237933.tif 000003
【図２】
2009237933.tif 000004
【図３】
2009237933.tif 000005